(57)【要約】      （修正有）【課題】衣服ハンガーに対してパッド本体がぶらつくのを防止できると共に、長期間使用してもパッド本体がへたって型崩れしないハンガーパッドを提供する。【解決手段】衣服ハンガー３の前面側を覆う前パッド部５と衣服ハンガー３の後面側を覆う後パッド部とが連結頂部７により一体に連結されたパッド本体１０を備え、連結頂部７の左右中央部にハンガーフック通し孔１１を設けてハンガーパッドを構成する。さらに、パッド本体１０の内側に、逆Ｕ字状の固定具３３が前パッド部５と連結頂部７と後パッド部との内面に跨るように取り付けられ、該固定具３３の内面に面ファスナーを介して固定バンドが固着され、衣服ハンガー３を前記固定具３３と固定バンドとの間に挟んでパッド本体１０に固定するようにした。【選択図】図１
0003171038.tif 000002
【実用新案登録請求の範囲】
【請求項１】
衣服ハンガー（３）の前面側を覆う前パッド部（５）と衣服ハンガー（３）の後面側を覆う後パッド部（６）とが連結頂部（７）により一体に連結されたパッド本体（１０）を備え、連結頂部（７）の左右中央部にハンガーフック通し孔（１１）が設けられたハンガーパッドであって、
パッド本体（１０）の内側に、逆Ｕ字状の固定具（３３）が前パッド部（５）と連結頂部（７）と後パッド部（６）との内面に跨るように取り付けられ、該固定具（３３）の内面に面ファスナー（３５，４５）を介して固定バンド（４３）が固着され、衣服ハンガー（３）を前記固定具（３３）と固定バンド（４３）との間に挟んでパッド本体（１０）に固定するようにしたことを特徴とするハンガーパッド。
【請求項２】
前記前パッド部（５）は、左前パッド片（２１）と右前パッド片（２２）とを有すると共にその両者間に凹溝状の前括れ部（２３）が形成され、前記後パッド部（６）は、左後パッド片（２５）と右後パッド片（２６）とを有すると共にその両者間に凹溝状の後括れ部（２７）が形成され、左前パッド片（２１）と左後パッド片（２５）との内面に跨って前記固定具（３３）と固定バンド（４３）とが左右方向に複数ずつ設けられ、右前パッド片（２２）と右後パッド片（２６）との内面に跨って前記固定具（３３）と固定バンド（４３）とが左右方向に複数ずつ設けられていることを特徴とする請求項１に記載のハンガーパッド。
【請求項３】
前記固定具（３３）の一方の脚部（３７）の下部が、締結具（４７）により前パッド部（５）の下部内面に固着され、固定具（３３）の他方の脚部（３７）の下部が、締結具（４７）により後パッド部（６）の下部内面に固着されていることを特徴とする請求項１又は２に記載のハンガーパッド。
【請求項４】
前記固定具（３３）の両脚部（３７）の内面に固定バンド（４３）の両側が面ファスナー（３５，４５）を介して重合接着され、固定具（３３）の頂部（３９）と固定バンド（４３）の長手方向中央部との間で衣服ハンガー（３）を挟んで挟持固定していることを特徴とする請求項１〜３のいずれかに記載のハンガーパッド。
【請求項５】
前記固定具（３３）は金属板又はプラスチック板により逆Ｕ字状に形成してなり、固定具（３３）の内面に第１面ファスナー（３５）が添着され、固定バンド（４３）は細長い帯板状に形成されてその外面に前記第１面ファスナー（３５）に接着する第２面ファスナー（４５）が添着されていることを特徴とする請求項１〜４のいずれかに記載のハンガーパッド。
【請求項６】
前記左前パッド片（２１）と右前パッド片（２２）と左後パッド片（２５）と右後パッド片（２６）との下部に、前記締結具（４７）を挿通するための取付孔（３０）がそれぞれ左右方向に間隔をおいて複数個ずつ形成されていることを特徴とする請求項１〜５のいずれかに記載のハンガーパッド。
【考案の詳細な説明】
【技術分野】
【０００１】
本考案は、衣服ハンガーに装着して衣類の肩部の肩崩れやシワを防ぐためのハンガーパッドに関するものである。
【背景技術】
【０００２】
衣類の肩部の肩崩れやシワを防ぐためのハンガーパッドには、衣服ハンガーの前面側を覆う前パッド部と衣服ハンガーの後面側を覆う後パッド部とが連結頂部により一体に連結されたパッド本体を備え、連結頂部の左右中央部にハンガーフック通し孔が設けられたものがある（例えば特許文献１，２）。
【０００３】
この種の従来のハンガーパッドには、パッド本体に形成したスリットに挿通したバンド部材を利用して衣服ハンガーを前パッド部と後パッド部とで挟むようにしたものがある（例えば特許文献１）。
【先行技術文献】
【特許文献】
【０００４】
【特許文献１】実用新案登録第３１６４４８２号公報
【特許文献２】特開２００９−１７８２４６号公報
【考案の概要】
【考案が解決しようとする課題】
【０００５】
しかし、従来のハンガーパッドでは、パッド本体と衣服ハンガーとの間に隙間が生じて衣服ハンガーに対してパッド本体がぶらつくおそれがあった。また、短期間の使用でパッド本体がへたって型崩れするという問題があった。
本考案は上記問題点に鑑み、衣服ハンガーに対してパッド本体がぶらつくのを防止できると共に、長期間使用してもパッド本体がへたって型崩れしないハンガーパッドを提供することを目的としている。
【課題を解決するための手段】
【０００６】
本考案における課題解決のための具体的手段は、次の通りである。
この技術的課題を解決する本考案の技術的手段は、衣服ハンガー３の前面側を覆う前パッド部５と衣服ハンガー３の後面側を覆う後パッド部６とが連結頂部７により一体に連結されたパッド本体１０を備え、連結頂部７の左右中央部にハンガーフック通し孔１１が設けられたハンガーパッドであって、
【０００７】
パッド本体１０の内側に、逆Ｕ字状の固定具３３が前パッド部５と連結頂部７と後パッド部６との内面に跨るように取り付けられ、該固定具３３の内面に面ファスナー３５，４５を介して固定バンド４３が固着され、衣服ハンガー３を前記固定具３３と固定バンド４３との間に挟んでパッド本体１０に固定するようにした点にある。
また、本考案の他の技術的手段は、前記前パッド部５は、左前パッド片２１と右前パッド片２２とを有すると共にその両者間に凹溝状の前括れ部２３が形成され、前記後パッド部６は、左後パッド片２５と右後パッド片２６とを有すると共にその両者間に凹溝状の後括れ部２７が形成され、左前パッド片２１と左後パッド片２５との内面に跨って前記固定具３３と固定バンド４３とが左右方向に複数ずつ設けられ、右前パッド片２２と右後パッド片２６との内面に跨って前記固定具３３と固定バンド４３とが左右方向に複数ずつ設けられている点にある。
【０００８】
また、本考案の他の技術的手段は、前記固定具３３の一方の脚部３７の下部が、締結具４７により前パッド部５の下部内面に固着され、固定具３３の他方の脚部３７の下部が、締結具４７により後パッド部６の下部内面に固着されている点にある。
また、本考案の他の技術的手段は、前記固定具３３の両脚部３７の内面に固定バンド４３の両側が面ファスナー３５，４５を介して重合接着され、固定具３３の頂部３９と固定バンド４３の長手方向中央部との間で衣服ハンガー３を挟んで挟持固定している点にある。
また、本考案の他の技術的手段は、前記固定具３３は金属板又はプラスチック板により逆Ｕ字状に形成してなり、固定具３３の内面に第１面ファスナー３５が添着され、固定バンド４３は細長い帯板状に形成されてその外面に前記第１面ファスナー３５に接着する第２面ファスナー４５が添着されている点にある。
また、本考案の他の技術的手段は、前記左前パッド片２１と右前パッド片２２と左後パッド片２５と右後パッド片２６との下部に、前記締結具４７を挿通するための取付孔３０がそれぞれ左右方向に間隔をおいて複数個ずつ形成されている点にある。
【考案の効果】
【０００９】
本考案によれば、固定具の内面に面ファスナーを介して固定バンドが固着され、衣服ハンガーを固定具と固定バンドとの間に挟んで固定するので、衣服ハンガーに対してパッド本体がぶらつくのを防止できる。また、パッド本体の内側に、逆Ｕ字状の固定具が前パッド部と連結頂部と後パッド部との内面に跨るように取り付けられているので、長期間使用してもパッド本体がへたって型崩れすることがなくなる。
【図面の簡単な説明】
【００１０】
【図１】本考案の一実施形態を示す衣服ハンガーに装着した状態のハンガーパッドの正面図である。
【図２】同衣服ハンガーに装着した状態のハンガーパッドの側面断面図である。
【図３】同ハンガーパッドを展開した状態の平面図である。
【図４】同固定具の斜視図である。
【図５】同固定バンドの斜視図である。
【考案を実施するための形態】
【００１１】
以下、本考案の実施の形態を図面に基づいて説明する。
図１〜図５は本考案の一実施形態を示している。図１〜図３において、ハンガーパッド１は、衣服ハンガー３の前面側を覆う前パッド部５と衣服ハンガー３の後面側を覆う後パッド部６とが連結頂部７により一体に連結されたパッド本体１０を備える。パッド本体１０はＥＶＡ樹脂、ポリエチレン、ポリプロピレン等で形成され、耐水性及び弾力性を有している。連結頂部７の左右中央部にハンガーフック通し孔１１が設けられている。
【００１２】
衣服ハンガー３は左右方向中央部に上方突出したハンガーフック１３を有しており、ハンガーパッド１を衣服ハンガー３に装着する際には、図１に示すように、ハンガーフック通し孔１１に衣服ハンガー３のハンガーフック１３を挿通して、パッド本体１０を前後に２つ折り状に弾性変形させて衣服ハンガー３を上側から覆うように装着される。
パッド本体１０の左右両端部に覆い凸部１６が外方に突出形成され、覆い凸部１６により重い衣類、ウエットスーツ等の肩口を無理なく支えることができるようになっている。
【００１３】
前パッド部５は、左前パッド片２１と右前パッド片２２とを有すると共にその両者間に下端から上方に向けて没入した凹溝状の前括れ部２３が形成されている。後パッド部６は、左後パッド片２５と右後パッド片２６とを有すると共にその両者間に下端から上方に向けて没入した凹溝状の後括れ部２７が形成されている。
左前パッド片２１と右前パッド片２２と左後パッド片２５と右後パッド片２６との下部に、後述する締結具４７を挿通するための取付孔３０がそれぞれ左右方向に間隔をおいて複数個（図例では４個）ずつ形成され、前パッド部５の取付孔３０と後パッドの取付孔３０とは互いに前後に対応して形成されている。
【００１４】
パッド本体１０の内側に、逆Ｕ字状の固定具３３が前パッド部５と連結頂部７と後パッド部６との内面に跨るように取り付けられている。
図４にも示すように、固定具３３は金属板又はプラスチック板により逆Ｕ字状に形成してなり、固定具３３の内面に第１面ファスナー３５が添着され、固定具３３は一対の脚部３７と一対の脚部３７を連結する円弧状の頂部３９とを有している。一対の脚部３７の下部に前記取付孔３０に対応する取付孔４０が形成されている。なお、取付孔４０はねじ孔等により形成されている。
【００１５】
固定具３３の内面に面ファスナー３５，４５を介して固定バンド４３が固着され、衣服ハンガー３を固定具３３と固定バンド４３との間に挟んでパッド本体１０に固定するようにしている。
固定バンド４３は図５に示すように可撓性を有する布等により細長い帯板状に形成されて、その外面に前記第１面ファスナー３５に接着する第２面ファスナー４５が添着されている。
【００１６】
左前パッド片２１と左後パッド片２５との内面に跨って前記固定具３３と固定バンド４３とが左右に複数（図例では２個）ずつ設けられ、右前パッド片２２と右後パッド片２６との内面に跨って前記固定具３３と固定バンド４３とが左右に複数（図例では２個）ずつ設けられている。
各固定具３３の一方の脚部３７の下部が、取付孔３０，４０に挿通される止めピン、止めねじ又はボルトナット等の締結具４７により前パッド部５の下部内面に固着され、各固定具３３の他方の脚部３７の下部が、取付孔３０，４０に挿通される止めピン、止めねじ又はボルトナット等の締結具４７により後パッド部６の下部内面に固着され、これにより上記の如く固定具３３がパッド本体１０の内側に取り付けられている。
【００１７】
各固定具３３の両脚部３７の内面に固定バンド４３の両側が面ファスナー３５，４５を介して重合接着され、複数の固定具３３の頂部３９と複数の固定バンド４３の長手方向中央部との間でそれぞれ衣服ハンガー３を挟んで挟持固定している。
上記実施形態によれば、固定具３３の内面に面ファスナー３５，４５を介して固定バンド４３が固着され、衣服ハンガー３を固定具３３と固定バンド４３との間に挟んで固定するようにしたので、衣服ハンガー３に対してパッド本体１０がぶらつくのを防止できる。また、パッド本体１０の内側に、逆Ｕ字状の固定具３３が前パッド部５と連結頂部７と後パッド部６との内面に跨るように取り付けられているので、固定具３３によってパッド本体１０が保形され、長期間使用してもパッド本体１０がへたって型崩れしなくなる。
【００１８】
しかも、左前パッド片２１と左後パッド片２５との内面に跨って前記固定具３３と固定バンド４３とが左右方向に複数ずつ設けられ、右前パッド片２２と右後パッド片２６との内面に跨って前記固定具３３と固定バンド４３とが左右方向に複数ずつ設けられているので、複数の固定具３３と固定バンド４３とによって、衣服ハンガー３に対してパッド本体１０がぶらつくたり、ガタ付いたりするのをより確実に防止することができる。
固定具３３の両脚部３７の内面に固定バンド４３の両側が面ファスナー３５，４５を介して重合接着され、固定具３３の頂部３９と固定バンド４３の長手方向中央部との間で衣服ハンガー３を挟んで挟持固定しているので、面ファスナー３５，４５を利用して固定具３３に固定バンド４３を簡単かつ確実に重合接着することができて、固定具３３と固定バンド４３との間で衣服ハンガー３を強固に挟持固定することができる。また、固定具３３に対して固定バンド４３を簡単に取り外して、衣服ハンガー３からパッド本体１０を容易に外すことができる。
【００１９】
なお、前記実施形態では、左前パッド片２１と左後パッド片２５との内面に跨って固定具３３と固定バンド４３とが左右に２個ずつ設けられ、右前パッド片２２と右後パッド片２６との内面に跨って固定具３３と固定バンド４３とが左右に２個ずつ設けられているが、固定具３３及び固定バンド４３の個数はこのような場合に限定されず、パッド本体１０に対して固定具３３及び固定バンド４３を１個ずつ設けるようにしてもよいし、２個ずつ、３個ずつ又は５個以上ずつ設けるようにしてもよい。
【００２０】
また、前記実施形態では、左前パッド片２１と右前パッド片２２と間に前括れ部２３が形成され、左後パッド片２５と右後パッド片２６との間に後括れ部２７が形成されているが、これら括れ部２３，２７を省略するようにしてもよい。また、パッド本体１０の左右両端部に形成された覆い凸部１６を省略するようにしてもよい。また、前パッド部５と後パッド部６との下部に形成した取付孔３０の個数は実施形態の場合に限定されない。
【符号の説明】
【００２１】
１      ハンガーパッド
３      衣服ハンガー
５      前パッド部
６      後パッド部
７      連結頂部
１０    パッド本体
１１    ハンガーフック通し孔
２１    左前パッド片
２２    右前パッド片
２３    前括れ部
２５    左後パッド片
２６    右後パッド片
２７    後括れ部
３０    取付孔
３３    固定具
３５    第１面ファスナー
３７    脚部
３９    頂部
４３    固定バンド
４５    第２面ファスナー
４７    締結具
【図１】
0003171038.tif 000003
【図２】
0003171038.tif 000004
【図３】
0003171038.tif 000005
【図４】
0003171038.tif 000006
【図５】
0003171038.tif 000007